(57)【要約】　　　（修正有）【課題】カートリッジが誤った場所に挿入されることを防止して装置本体やカートリッジ自体の破損等を防止することが可能なカートリッジの誤挿入防止機構を有するカートリッジ収容装置を提供する。【解決手段】本体３の背面側端部に設けられたヒンジ支点を中心にして本体３の上面を開閉自在に揺動する蓋体２が開いた状態において、本体３の前面側からカートリッジ１０が挿入される挿入部９以外の場所にカートリッジ１０が入り込まないようにする閉塞ガイド４を設ける。蓋体２が閉じた状態において、閉塞ガイド４は、充電電池を収容する充電電池収容部の一部を形成する。【選択図】図４
2004022055.tif 000002
【特許請求の範囲】
【請求項１】
本体背面側端部に設けられた支点を中心にして本体上面を開閉自在に揺動する蓋体と、前記蓋体と前記本体との間に設けられるとともに、蓋体の揺動の一部または全部に連動して揺動し、本体上面の開放時に本体前面側からカートリッジが挿入される挿入部と、前記蓋体の揺動により前記挿入部と前記本体または蓋体の少なくとも一方との間に生じる本体前面側の間隙を閉塞する平面部を有する閉塞部材と、を備えてなるカートリッジ収容装置。
【請求項２】
前記閉塞部材は、一端が前記本体の前面側の端部に軸支されるとともに、他端が前記挿入部に移動自在に支持されることを特徴とする請求項１に記載のカートリッジ収容装置。
【請求項３】
前記閉塞部材は、前記蓋体により前記本体上面が閉じられる状態において、前記本体に設けられる充電電池収容部の一部を構成することを特徴とする請求項１または２に記載のカートリッジ収容装置。
【発明の詳細な説明】
【０００１】
【発明の属する技術分野】
この発明は、装置本体に対して挿脱自在にされるミニディスク（ＭＤ）、フレキシブルディスク等のカートリッジを収容するカートリッジ収容装置に関する。
【０００２】
【従来の技術】
通常、図１に示す、ポータブルＭＤプレーヤ等のように情報が記憶される記憶媒体としてのカートリッジ１１０が適宜選択的に挿入されるとともに、挿入されたカートリッジ１１０に基づいて動作する装置（以下、単に装置という。）１００では、挿入されるカートリッジ１１０を適正な位置へと案内する挿入溝等を有する挿入部１０４が形成されている。
【０００３】
そして、蓋体１０２が開いた状態で挿入部１０４にカートリッジ１１０を挿入して蓋体１０２を閉じると、通常、カートリッジ１１０が装置本体１０３における適正な被読取位置等に配置されるため、挿入部１０４に挿入されたカートリッジ１１０についての適正な読取処理等が行われる。
【０００４】
ところが、蓋体１０２を開きカートリッジ１１０を挿入部に挿入することは、必ずしも容易ではないことがある。例えば、ポータブルＭＤプレーヤのように携帯用の装置においては、不安定な姿勢でカートリッジ１１０を挿入部１０４に挿入する場合がある。
【０００５】
図２（ａ）および図２（ｂ）は、装置１００の本体１０３に対して蓋体１０２が開いた状態を示している。同図に示すように、本体１０３と蓋体１０２との間に形成される開口部において、本体１０３と挿入部１０４との間にカートリッジ１１０の一部または全部が入り込むのに十分な大きさの間隙１０７が生じる。なお、同図において、間隙１０７は、ハッチングを施した部分である。また、図には表れていないが挿入部１０４の構造によっては、蓋体１０２と挿入部１０４との間にも同様の間隙が生じることがある。このような場合、上述の間隙にカートリッジ１１０を誤挿入しないように慎重にカートリッジ１１０を挿入部１０４に挿入するためには時間がかかる。
【０００６】
そこで、同図に示すような従来の装置１００の中には、カートリッジ１１０が挿入部１０４以外の場所に挿入されることを防止するための規制部材１０５が形成されるものがあり、間隙１０７に規制部材１０５を設けることにより装置１００内部における挿入部１０４以外の場所にカートリッジ１１０が挿入されることを防止していた。
【０００７】
【発明が解決しようとする課題】
しかしながら、図に示す規制部材１０５のような従来のカートリッジの誤挿入防止部材によっては、挿入部１０４の挿入溝に対して平行に、かつ、真っ直ぐな状態で挿入されるカートリッジ１１０が間隙１０７に誤挿入されることを防止することができるが、図３に示すようにカートリッジ１１０が斜めに向いた状態で挿入される場合には、カートリッジ１１０の一部が間隙１０７に入り込むことを防止することはできなかった。
【０００８】
このため、ユーザが不注意によりカートリッジ１１０の一部を間隙１０７に挿入してしまい、装置１００本体の精密機器を破損することや、間隙１０７に入り込んだカートリッジ１１０を抜き出す際に規制部材１０５や挿入部１０４等を変形させてしまったり、カートリッジ自体を破損させてしまうといった不都合が生じていた。
【０００９】
この発明の目的は、カートリッジが誤った場所に挿入されることを防止して装置本体やカートリッジ自体の破損等を防止することが可能なカートリッジの誤挿入防止機構を有するカートリッジ収容装置を提供することである。
【００１０】
【課題を解決するための手段】
この発明は以下の構成を備えている。
【００１１】
（１）カートリッジ収容装置が、本体背面側端部に設けられた支点を中心にして本体上面を開閉自在に揺動する蓋体と、前記蓋体と前記本体との間に設けられるとともに、蓋体の揺動の一部または全部に連動して揺動し、本体上面の開放時に本体前面側からカートリッジが挿入される挿入部と、前記蓋体の揺動により前記挿入部と前記本体または蓋体の少なくとも一方との間に生じる本体前面側の間隙を閉塞する平面部を有する閉塞部材と、を備えたことを特徴とする。
【００１２】
この構成においては、本体背面側端部のヒンジ部を中心に揺動する蓋体が、本体の上面を開放する方向に揺動し本体と蓋体との間の開口部が拡大されるに伴って、この開口部におけるカートリッジ挿入部に挿入するために必要な空間以外が閉塞部材の平面部によって閉塞される。
【００１３】
したがって、カートリッジを挿入部に挿入する際に、カートリッジの先端等が挿入部以外の空隙に入り込むことがないため、特段の注意を必要とすることなく容易にカートリッジが挿入部に挿入される。
【００１４】
（２）前記閉塞部材は、一端が前記本体の前面側の端部に軸支されるとともに、他端が前記挿入部に移動自在に支持されることを特徴とする。
【００１５】
この構成においては、蓋体を開いてカートリッジが挿入される場合に、このカートリッジが挿入部以外の場所に挿入されたときに、カートリッジの先端部が当接する閉塞部材の平面部が、カートリッジの先端部を挿入部の方に案内する傾斜面として配置される。したがって、カートリッジを挿入部に挿入する動作が、迅速かつ確実に行われる。
【００１６】
また、蓋体が閉じた状態では、閉塞部材の平面部が、カートリッジホルダ等の挿入部の底面部と同一平面上に配置される。したがって、閉塞部材が蓋体を閉じる際の障害になることがなく、また、蓋体が閉じた後において装置本体の厚み方向の大きさが増大することがない。
【００１７】
（３）前記閉塞部材は、前記蓋体により前記本体上面が閉じられる状態において、前記本体に設けられる充電電池収容部の一部を構成することを特徴とする。
【００１８】
この構成においては、蓋体が閉じられた状態では、閉塞部材が充電電池を収容する充電電池収容部における蓋体との対向面を形成し、本来、この対向面に配置されるべき部材が不要になる。したがって、本体または蓋体の法線方向、すなわち装置の厚さ方向に配置される部材の数が減少され、装置の薄型化および軽量化が図られる。
【００１９】
【発明の実施の形態】
以下、図を用いて本発明のカートリッジ収容装置の実施形態としてのポータブルＭＤプレーヤを説明する。なお、以下の説明では、カートリッジの挿入側を本体前面側または挿入側とし、カートリッジの挿入側と反対側を本体背面側とする。
【００２０】
図４は、本実施形態におけるポータブルＭＤプレーヤの構成を示している。同図が示すように、ポータブルＭＤプレーヤ１は、挿入されるＭＤ（以下、カートリッジという。）１０を読み取って音声信号の再生する音声再生部を有する本体３と、本体２の背面側端部に揺動自在に設けられ本体３の上面を開閉する蓋体２と、を備えている。
【００２１】
また、同図は、蓋体２が開いた状態を示しているが、同図に示すように蓋体２と本体３との間には、カートリッジ１０が挿入されるカートリッジホルダ９、一端が本体３の挿入側端部に軸支されるとともに他端がカートリッジホルダの挿入側端部に移動自在に支持される閉塞ガイド４、および蓋体２が閉じた状態において蓋体２と本体３とをロックするロック部５を有する内部フレーム部が設けられている。
【００２２】
図５は、ポータブルＭＤプレーヤ１の内部フレーム部の構成を示す図である。同図に示すように内部フレーム部は、主に、カートリッジ１０を所定の位置に保持するカートリッジホルダ９、本体前面側端部に固着される固定フレーム６、一端が固定フレーム６に軸支されるとともに他端がカートリッジホルダ９にカートリッジ１０の挿入方向において移動自在に支持される閉塞ガイド４により構成される。
【００２３】
同図において、カートリッジホルダ９は、両端部に挿入されるカートリッジ１０を適正な挿入位置に案内する挿入溝が形成されており、その上面９ａが蓋体２に固定されている。このため、カートリッジホルダ９は、本体３に対して揺動する蓋体２と一体的に移動する。カートリッジホルダ９の挿入側の端部には、長孔状のレール部１１が形成されている。なお、カートリッジホルダ９は、本発明の挿入部を構成する。
【００２４】
本発明の閉塞部材としての閉塞ガイド４は、平板状のプレート部４ｂとプレート部４ｂの両端部にプレート部４ｂに直交するように形成されるエッジ部４ａとを備えている。エッジ部４ａは、挿入されるカートリッジ１０の両端に当接するガイドとしても機能する。エッジ部４ａの挿入側には、本体３に固着される固定フレーム６に軸支される軸部１２が形成されており、エッジ部４ａの背面側には、カートリッジホルダ９のレール部１１に係合する軸部７が形成されている。
【００２５】
つまり、閉塞ガイド４は、本体３に対して挿入側の一端部の軸部１２を中心に揺動自在に軸支されている。さらに、閉塞ガイド４は、背面側の一端部の軸部７がレール部１１に沿って移動自在であるとともに、軸部７を中心の回動自在に構成されている。
【００２６】
軸部７は、カートリッジホルダ９のレール部１１の孔の孔径よりわずかに小さい径の係合部をレール部１１に係合させた後に、カートリッジホルダ９と閉塞ガイド４とが離脱しないようにこの軸部７の端部をカシメ加工することにより形成される。また、軸部７の移動範囲は、レール部１１の長手方向の長さにより決定される。例えば、蓋体２が本体３の上面を開放する方向に揺動する際には、軸部７がレール部１１の挿入側にスライドしていき、軸部７がレール部１１の挿入側端部に到達したときに軸部７の移動が規制され、蓋体２の本体３に対する揺動が止まる。つまり、レール部１１の大きさにより蓋体２の本体３に対する揺動角度、すなわち開き角度が制限される。
【００２７】
図６は、ポータブルＭＤプレーヤ１のカートリッジホルダ９の構成を示す図である。図６（ａ）は、蓋体２が開いた状態におけるポータブルＭＤプレーヤ１の前面側正面図である。また、図６（ｂ）は、蓋体２が開いた状態におけるポータブルＭＤプレーヤ１の左側側面図である。さらに、図６（ｃ）は、図６（ａ）におけるＡ−Ａ部の断面図である。
【００２８】
図６（ａ）におけるハッチングを施した部分は、カートリッジ１０が挿入されるべき範囲、すなわちカートリッジホルダ９の挿入側端部を示している。また、図６（ｂ）に示すように、蓋体２が開いた状態において、本体３と蓋体２との間に形成される開口部は、その前面側の全域がカートリッジホルダ９の挿入側端部と閉塞ガイド４とによって占められている。
【００２９】
すなわち、同図に示すように、カートリッジ１０をカートリッジホルダ９内に挿入する際に、本体３と蓋体２との間に形成される開口部には、カートリッジ１０の厚みよりも厚さ方向において大きな間隙、つまり、カートリッジ１０が入り込むおそれがある間隙が形成されていない。このため、カートリッジ１０がどのような状態で挿入されるかにかかわらず、カートリッジホルダ９以外の場所に誤って挿入されることを防止することができる。
【００３０】
特に、図６（ｃ）に示すように、蓋体２が開いた状態で、閉塞ガイド４のプレート部４ｂが、カートリッジ１０の挿入側に対向する傾斜面状に配置されるため、カートリッジ１０の先端がカートリッジホルダ９以外の場所に案内された場合においても、カートリッジ１０の先端がプレート部４ｂに当接し、傾斜面に沿ってカートリッジ１０の先端がカートリッジホルダ９の内部へと案内されることになる。このため、ユーザは、カートリッジ１０の挿入を特に慎重に行う必要はなく、移動中等の不安定な状態においても正確にカートリッジ１０の挿入を行うことができる。　　　　　　　　　　　　　　　　　　　　　　　　　　　　　　図７は、ポータブルＭＤプレーヤ１における充電電池８の収容状態を示している。同図が示すように、本体３の挿入側の端部には、ポータブルＭＤプレーヤ１の各動作部の電力源となる充電電池８が収容される充電電池収容部１３が形成されている。
【００３１】
充電電池収容部１３は、充電電池のサイズと略同サイズの矩形状に形成されており、紙面に垂直方向の手前側には、図示しない充電池用蓋部が配置されている。なお、充電電池８の脱抜の際には、充電池用蓋部を開け、充電電池８を紙面の手前方向に抜き出す。また、充電電池８の装着時には、充電池用蓋部を開け、充電電池８を充電電池収容部１３に装着した後に、充電池用蓋部を閉じることにより、充電電池８が充電電池収容部１３内部の所定の位置に固定される。
【００３２】
本発明では、蓋体２が閉じられた状態において、充電電池収容部１３における蓋体２との対向面の一部または全部を閉塞ガイド４によって形成している。このため、充電電池収容部１３の隔壁として、通常、挿入されたカートリッジ１０と充電電池８との間に必要とされる部材を設ける必要がないことから、ポータブルＭＤプレーヤ１のサイズの厚み方向を縮小し、軽量化を図ることができる。
【００３３】
このとき、蓋体２が開いた状態では、充電電池収容部１３の一部を形成する閉塞ガイド４が充電電池収容部１３から離間する。ところが、蓋体２が開いた状態でも、充電電池収容部１３内の充電電池８は、充電池用蓋部等によりその両端が固定されており、また、係止部１３ａに当接しているため、充電電池８は本来位置するべき場所に保持された状態を保つため、特に、閉塞ガイド４が充電電池収容部１３から離間することにより不都合を生じることはない。
【００３４】
なお、本実施形態では、カートリッジホルダ９が蓋体２と一体的に揺動する構成にしているが、カートリッジホルダ９を蓋体２に固定することなく、蓋体２の揺動の一部にのみ連動する構成にすることもできる。この場合、カートリッジホルダ９と蓋体２との間にもカートリッジ１０が入り込む間隙を生じることがあるが、上述の閉塞ガイド４と同様の閉塞部材をこの間隙を閉塞するように配置することにより、カートリッジの誤挿入を防止し、適正にカートリッジ１０をカートリッジホルダ９内へと案内することが可能になる。
【００３５】
【発明の効果】
以上のように、この発明によれば、以下の効果を奏することができる。
【００３６】
（１）本体背面側端部のヒンジ部を中心に揺動する蓋体が本体の上面を開放する方向に揺動し本体と蓋体との間の開口部が拡大されるに伴って、この開口部におけるカートリッジを挿入部に挿入するために必要な空間以外を閉塞部材の平面部によって閉塞することから、カートリッジを挿入部に挿入する際に、カートリッジの先端等が挿入部以外の空隙に入り込むことを防止し、ユーザが特段の注意を払わなくても容易にカートリッジを挿入部に挿入することが可能になる。また、カートリッジが挿入部以外の場所に入り込むことを防止しているため、音声再生部等の精密機器にカートリッジの先端が触れることにより本体に備えられた精密機器が破損したり、挿入部を構成するガイド部材等を変形されることを防止することができる。
【００３７】
（２）蓋体が開いてカートリッジを挿入する場合に、このカートリッジが挿入部以外の場所に挿入されたときに、カートリッジの先端部が当接する閉塞部材の平面部を、カートリッジの先端部を挿入部の方に案内する傾斜面として配置したことから、カートリッジを挿入部に挿入する動作を、迅速かつ確実に行うことが可能になる。
【００３８】
また、蓋体が閉じた状態では、閉塞部材の平面部を、カートリッジホルダ等の挿入部の底面部と同一平面上に配置したことから、閉塞部材が蓋体を閉じる際の障害になることを防止でき、また、蓋体を閉じた後において装置本体の厚み方向の大きさが増大することを防止できる。
【００３９】
（３）蓋体が閉じられた状態では、閉塞部材が充電電池を収容する充電電池収容部における蓋体との対向面を形成し、本来、この対向面に配置されるべき部材を不要にできるため、本体または蓋体の法線方向、すなわち装置の厚さ方向に配置される部材の数が減少され、装置の薄型化および軽量化を図ることができる。
【００４０】
よって、カートリッジが誤った場所に挿入されることを防止して装置本体やカートリッジ自体の破損等を防止することが可能なカートリッジの誤挿入防止機構を有するカートリッジ収容装置を提供することができる。
【図面の簡単な説明】
【図１】従来のポータブルＭＤプレーヤの斜視図である。
【図２】従来のポータブルＭＤプレーヤのカートリッジホルダの構成を示す図である。
【図３】従来のポータブルＭＤプレーヤにおけるカートリッジが誤挿入されている状態を示す図である。
【図４】本発明が適用されるポータブルＭＤプレーヤの斜視図である。
【図５】ポータブルＭＤプレーヤの内部フレーム部の構成を示す図である。
【図６】本発明が適用されるポータブルＭＤプレーヤのカートリッジホルダの構成を示す図である。
【図７】本発明が適用されるポータブルＭＤプレーヤの充電電池の収容状態を示す図である。
【符号の説明】
１−ポータブルＭＤプレーヤ
２−蓋体
３−本体
４−閉塞ガイド
５−係止部材
６−固定フレーム
７−軸部（背面側）
８−充電電池
９−カートリッジホルダ
１０−カートリッジ
１１−レール部
１２−軸部（挿入側）
１３−充電電池収容部
【図１】
2004022055.tif 000003
【図２】
2004022055.tif 000004
【図３】
2004022055.tif 000005
【図４】
2004022055.tif 000006
【図５】
2004022055.tif 000007
【図６】
2004022055.tif 000008
【図７】
2004022055.tif 000009